(57)【要約】【課題】  従来のアンシラリ情報の監視装置は、ユーザーが監視したい複数のアンシラリ情報について必要な項目だけを抽出して監視すること、およびそれぞれの時間的な変化とその順番を把握することが困難である、という問題があった。【解決手段】  本発明のアンシラリ情報表示モニターは、映像信号に多重される複数のアンシラリ情報を選択し、波形に変換して同一時間軸上に配置して１画面で同時に表示する機能を持つことを特徴としている。  この発明によれば、複数のアンシラリ情報が選択され、波形に変換して同一時間軸上に配置して１画面に同時に表示されるので、ユーザーが選択した複数のアンシラリ情報について時間的な変化とその順番を視覚的にリアルタイムで把握することが可能である。【選択図】  図９
2011044974.tif 000002
【特許請求の範囲】
【請求項１】
映像信号表示モニターにおいて、映像信号に多重される複数のアンシラリ情報を選択する手段と、アンシラリデータをアンシラリ波形に変換する手段と、選択波形を同一時間軸上に配置して画像データとして１画面内に表示する手段とを含むアンシラリ情報表示機能を持つ事を特長とするモニター。
【請求項２】
前記アンシラリ情報表示機能は、アンシラリ情報選択手段がモニター搭載のスイッチや外部ＰＣである事を特長とする請求項１に記載のモニター。
【請求項３】
前記アンシラリ情報表示機能は、表示時間範囲を任意に変更可能である事を特長とする請求項１、２に記載のモニター。
【請求項４】
前記アンシラリ情報表示機能は、ユーザーが監視時間を設定可能であり、設定時間が来たら画面上に確認用フラグをたてる事を特徴とする請求項１、２、３に記載のモニター。
【請求項５】
前記アンシラリ情報表示機能は、設定時間が来たら表示画面をキャプチャできる事を特徴とする請求項１、２、３、４に記載のモニター。
【発明の詳細な説明】
【技術分野】
【０００１】
本発明は、映像信号に多重される複数のアンシラリ（補助）情報を波形に変換して時間軸上に配置して１画面で同時に表示する機能を持つことを特徴としたモニターに関するものである。
【背景技術】
【０００２】
従来のアンシラリ情報の監視装置は、各アンシラリ情報について専用画面を持ち、その装置が有する多画面表示機能により複数のアンシラリ情報を同時に監視することは可能であるが、各アンシラリ情報の専用画面は性質上、ユーザーの監視したい項目以上の情報を表示していることが多く、ユーザーによっては見易さの点から、複数アンシラリ情報の各一部分だけを抽出して監視したい、という要望が高まっている。またテレビ局での運用については、本編とＣＭの切り替わりは局間制御、字幕、音声と複数のアンシラリ情報によって制御されており、それぞれのアンシラリ情報が正しく変化しなかった、あるいは正しい順番で変化しなかった場合には放送事故等の問題が発生する可能性がある。問題が発生した場合、ユーザーはアンシラリ情報の監視装置が有するログ機能を使って、履歴を問題発生の時間までさかのぼって原因を調査する必要がある。
【０００３】
【特許文献１】特許３８８４０１６号公報
【特許文献２】特開２００２―３１４９５３号公報
【発明の開示】
【発明が解決しようとする課題】
【０００４】
しかしながら、従来のアンシラリ情報の監視装置は、ユーザーが監視したい複数のアンシラリ情報について必要な項目だけを抽出して監視すること、およびそれぞれの時間的な変化とその順番を把握することが困難である、という問題があった。
【０００５】
本発明は、上記問題を解決し、複数のアンシラリ情報の必要な項目について時間的な変化とその順番を視覚的にリアルタイムで把握することが可能なモニターを提供することを課題としている。
【課題を解決するための手段】
【０００６】
上記問題を解決する為に、本発明のアンシラリ情報表示モニターは、映像信号に多重される複数のアンシラリ情報を選択し、波形に変換して同一時間軸上に配置して１画面で同時に表示する機能を持つことを特徴としている。
【０００７】
この発明によれば、複数のアンシラリ情報が選択され、波形に変換して同一時間軸上に配置して１画面に同時に表示されるので、ユーザーが選択した複数のアンシラリ情報について時間的な変化とその順番を視覚的にリアルタイムで把握することが可能である。
【発明の効果】
【０００８】
本発明によれば、複数のアンシラリ情報について時間的な変化とその順番を視覚的にリアルタイムで把握することが可能であるので、ユーザーが監視する上で、例えば、本編とＣＭの切り替わりで問題が起きた瞬間を捉えることが可能となり、原因調査のために履歴を追うことが必要なくなることからユーザーの負担が軽減されるという効果がある。
【発明を実施するための最良の形態】
【０００９】
以下、従来の技術について図１を用いて説明する。
【００１０】
ＳＤＩ信号１０１をモニター１６０に入力し、コンバータ回路１０３にて映像データ１０５に変換する。
【００１１】
アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報選択１７５にて行われる。
【００１２】
アンシラリコンバータ回路１３０にて、アンシラリＡデータ１２０からアンシラリ画面Ａデータ１３５を作成し、アンシラリＢデータ１２２からアンシラリ画面Ｂデータ１３６を作成し、アンシラリＣデータ１２４からアンシラリ画面Ｃデータ１３７を作成し、アンシラリＤデータ１２６からアンシラリ画面Ｄデータ１３８を作成し、複数の画面表示用データを作成する。
【００１３】
セレクタ＆スケーラ回路１４０にて、アンシラリ画面Ａデータ１３５とアンシラリ画面Ｂデータ１３６とアンシラリ画面Ｃデータ１３７とアンシラリ画面Ｄデータ１３８を縮小して並べることで画面データ１４５を作成しディスプレイ１５０に表示する。
【００１４】
以上により、複数のアンシラリ情報を１画面に表示することが可能となる。但し、１画面に表示された複数のアンシラリ情報全てがユーザーにとって必要な情報であるとは限らない。
【００１５】
次に、従来の技術をモニターに適用した場合のモニター表示について図２を用いて説明する。
【００１６】
ディスプレイ１５０には、アンシラリ画面Ａ２１０とアンシラリ画面Ｂ２１２とアンシラリ画面Ｃ２１４とアンシラリ画面Ｄ２１６が同時に表示されており、これによりユーザーは１画面で複数のアンシラリ情報を得ることが可能となる。
【００１７】
しかしこれら全てがユーザーにとって必要な情報であるとは限らず、場合によっては、ユーザーは各アンシラリ画面から自身に必要な情報を抽出し、その上で総合的に物事を判断する必要が生じる。
【００１８】
次に、本発明における複数のアンシラリ情報を波形に変換して同一時間軸上に配置して画面表示する機能をモニターに適用した場合について図３を用いて説明する。
【００１９】
ＳＤＩ信号１０１をモニター１６０に入力し、コンバータ回路１０３にて映像データ１０５に変換する。
【００２０】
アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００２１】
アンシラリ波形コンバータ回路３００にて、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００２２】
波形合成回路３２０にて、アンシラリ波形Ａデータ３１０とアンシラリ波形Ｂデータ３１２とアンシラリ波形Ｃデータ３１４とアンシラリ波形Ｄデータ３１６を合成して画面データ１４５を作成しディスプレイ１５０に表示する。
【００２３】
以上により、複数のアンシラリ情報の必要な項目を波形データに変換して１画面に表示することが可能となる。
【００２４】
次に、複数のアンシラリ情報を波形に変換して同一時間軸上に配置して画面表示する機能をモニターに適用した場合の画面表示について図４を用いて説明する。
【００２５】
ディスプレイ１５０には、放送局間制御信号（ＡＲＩＢ  ＳＴＤ−Ｂ３９）にて規定されるトリガ信号を波形表現したアンシラリ波形Ａ４００と、デジタル字幕データ（ＡＲＩＢ  ＳＴＤ−Ｂ３７）にて規定されるＣＳを波形表現したアンシラリ波形Ｂ４１０と、ＣＭキャッチコード（ＡＲＩＢ  ＴＲ−Ｂ２３）を波形表現したアンシラリ波形Ｃ４２０と、デジタル音声（ＢＴＡ  Ｓ−００６Ｂ）を波形表現したアンシラリ波形Ｄ４３０が、時間軸４４０を同じくして表示される。
【００２６】
アンシラリ波形Ａ４００は、放送局間制御信号（ＡＲＩＢ  ＳＴＤ−Ｂ３９）のパケットにあるトリガ信号（Ｑ１〜Ｑ２５）の‘１’あるいは‘０’を波形で表現しており、ユーザーが選択したトリガ信号（Ｑ１〜Ｑ２５）が‘１’であった場合にはトリガフラグ４０２が立ち、‘０’であった場合にはフラグは立たない。トリガフラグ４０２の立ち上がりは放送局間制御信号（ＡＲＩＢ  ＳＴＤ−Ｂ３９）にあるトリガ信号（Ｑ１〜Ｑ２５）を検出した時間に同じとし、立ち上がり期間にはある程度幅を持たせることで視認性を向上させる。ユーザーはトリガフラグ４０２を監視することで選択したトリガ信号（Ｑ1〜Ｑ２５）が‘１’になった瞬間を捉えることができる。
【００２７】
アンシラリ波形Ｂ４１０は、デジタル字幕データ（ＡＲＩＢ  ＳＴＤ−Ｂ３７）のパケット内の制御符号ＣＳ（画面消去）の有無を波形で表現しており、制御符号ＣＳ（画面消去）があった場合にはＣＳフラグ４１２が立ち、なかった場合にはフラグは立たない。ＣＳフラグ４１２の立ち上がりはデジタル字幕データ（ＡＲＩＢ  ＳＴＤ−Ｂ３７）のパケット内の制御符号ＣＳ（画面消去）を検出した時間に同じとし、立ち上がり期間にはある程度幅を持たせることで視認性を向上させる。ユーザーはＣＳフラグ４１２を監視することで制御符号ＣＳ（画面消去）の有無、および制御符号ＣＳ（画面消去）が多重された瞬間を捉えることができる。
【００２８】
アンシラリ波形Ｃ４２０は、ＣＭキャッチコード（ＡＲＩＢ  ＴＲ−Ｂ２３）のパケット多重の有無を波形で表現しており、ＣＭキャッチコードがパケット多重された場合にはＣＭキャッチフラグ４２２が立ち、パケット多重されなかった場合にはフラグは立たない。ＣＭキャッチフラグ４２２の立ち上がりはＣＭキャッチコード（ＡＲＩＢ  ＴＲ−Ｂ２３）のパケット多重を検出した時間に同じとし、立ち上がり期間にはある程度幅を持たせることで視認性を向上させる。ユーザーはＣＭキャッチフラグ４２２を監視することでＣＭキャッチコード（ＡＲＩＢ  ＴＲ−Ｂ２３）のパケット多重された瞬間を捉えることができる。
【００２９】
アンシラリ波形Ｄ４３０は、デジタル音声（ＢＴＡ  Ｓ−００６Ｂ）のパケット内の音声データ（ＣＨ１〜ＣＨ１６）を波形で表現しており、ユーザーが選択した音声データ（ＣＨ１〜ＣＨ１６）について順次レベル変換した音声レベル波形４３２を音声レベルスケール４３４内にプロットする。ユーザーは音声レベル波形４３２を監視することで選択した音声データ（ＣＨ１〜ＣＨ１６）の音声レベルの時間的な変化が確認でき、また音声レベルスケール４３４と比較することでその音声レベルが適切であることが確認できる。
【００３０】
ディスプレイ１５０に表示されるアンシラリ波形について、時間軸４４０の右にプロットされるほど過去であることを表現し、時間軸４４０の左にプロットされるほど現在に近いことを表現する、よってアンシラリ波形は時間の経過に伴い左から右に流れていく。
【００３１】
以上により、複数のアンシラリ情報についてユーザーが選択した項目を視認しやすい波形データ変換して、時間軸を同じくして１画面に表示することから、複数のアンシラリ情報のユーザーが選択した項目について時間的な変化とその順番を視覚的にリアルタイムで把握することが可能となる。
【００３２】
次に、本発明における複数のアンシラリ情報を波形に変換して同一時間軸上に配置して画面表示し、その画面表示時間を調整する機能をモニターに適用した場合について図５を用いて説明する。
【００３３】
ＳＤＩ信号１０１をモニター１６０に入力し、コンバータ回路１０３にて映像データ１０５に変換する。
【００３４】
アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００３５】
アンシラリ波形コンバータ３００にて、モニター搭載のスイッチ操作あるいはＰＣ制御１７０から1画面における波形表示時間として表示時間５００を設定する。具体的には、表示時間５００は入力アンシラリデータのサンプル数と出力波形データ作成の為に参照されるサンプル数を調整するパラメータとなる。表示時間５００がある任意の１画面における波形表示時間に設定された場合と比較して述べると、表示時間５００がこれより短時間に設定された場合には単位時間の入力アンシラリデータのサンプル数に対して出力波形データ作成の為に参照されるサンプル数は小さい値をとり、よって1画面分の波形データは分解能は高いが表現しうる時間は短くなる。反対に表示時間５００がこれより長時間に設定された場合には、単位時間の入力アンシラリデータのサンプル数に対して出力波形データ作成の為に参照されるサンプル数は大きい値をとり、よって1画面分の波形データは分解能は低いが表現しうる時間は長くなる。
【００３６】
アンシラリ波形コンバータ３００にて、モニター搭載のスイッチ操作あるいはＰＣ制御１７０から表示時間５００を設定後に、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００３７】
波形合成回路３２０にて、アンシラリ波形Ａデータ３１０とアンシラリ波形Ｂデータ３１２とアンシラリ波形Ｃデータ３１４とアンシラリ波形Ｄデータ３１６を合成して画面データ１４５を作成しディスプレイ１５０に表示する。
【００３８】
以上により、複数のアンシラリ情報の必要な項目を波形データに変換して１画面に表示し、且つ、1画面におけるアンシラリ波形の表示時間を調整することが可能となる。
【００３９】
次に、本発明における複数のアンシラリ情報を波形に変換して同一時間軸上に配置して画面表示し、その画面表示時間を調整する機能を適用した場合の画面表示について図６を用いて説明する。
【００４０】
ある任意の表示時間に設定された場合の画面表示６００に対して、表示時間長を１/２倍にした場合の拡大画面表示６１０は、画面表示６００の拡大部６０２が１画面に拡大されて表示されており、1画面分のアンシラリ波形は、分解能は高いが表現しうる時間は短くなっているのがわかる。これによりユーザーは複数のアンシラリ波形の変化の順番、および波形レベルの変化を詳細に監視することができる。
【００４１】
ある任意の表示時間に設定された場合の画面表示６００に対して、表示時間長を２倍にした場合の縮小画面表示６２０は、画面表示６００全体が画面表示６２０の縮小部６２２に集約されており、1画面分の波形データは、分解能は低いが表現しうる時間は長くなっているのがわかる。これによりユーザーは複数のアンシラリ波形の変化を長時間に渡って監視することができる。
【００４２】
以上により、表示時間を設定し1画面に表示されるアンシラリ波形の形状が調整できることから、ユーザーの監視用途に合わせた画面表示が可能となる。
【００４３】
次に、本発明における複数のアンシラリ情報を波形に変換して同一時間軸上に配置して画面表示し、ユーザーが設定した時間がきたらフラグを立てる機能をモニターに適用した場合について図７を用いて説明する
【００４４】
ＳＤＩ信号１０１をモニター１６０に入力し、コンバータ回路１０３にて映像データ１０５に変換する。
【００４５】
アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００４６】
アンシラリ＆時間波形コンバータ７０４にて、モニター搭載のスイッチ操作あるいはＰＣ制御１７０から表示時間５００を設定し、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００４７】
内部時計７００からの時計情報７０１を時計情報コンバータ７０２にて時計データ７０３に変換しアンシラリ＆時間波形コンバータ回路７０４に入力する。アンシラリ＆時間波形コンバータ回路７０４にて、モニター搭載のスイッチ操作あるいはＰＣ制御１７０から時間設定７１０を設定し、時間設定７１０と時計データ７０３の一致する期間を時間波形データ７０５に変換する。
【００４８】
波形合成回路３２０にて、アンシラリ波形Ａデータ３１０とアンシラリ波形Ｂデータ３１２とアンシラリ波形Ｃデータ３１４とアンシラリ波形Ｄデータ３１６と時間波形データ７０５を合成して画面データ１４５を作成しディスプレイ１５０に表示する。
【００４９】
以上により、複数のアンシラリ情報の必要な項目とユーザーが監視したい期間を波形データに変換して１画面に表示することが可能となる。また内部時計７００からの時間情報７０１を、ＳＤＩ信号１０１に多重されたタイムコードに置き換える、あるいは外部から取得することにより、より汎用的な監視が可能となる。
【００５０】
次に、本発明における複数のアンシラリ情報を波形に変換して同一時間軸上に配置して画面表示し、ユーザーが設定した時間がきたらフラグを立てる機能をモニターに適用した場合の画面表示について図８を用いて説明する。
【００５１】
ディスプレイ１５０には、ユーザーが監視したい時間を波形表現した監視波形８００と、放送局間制御信号（ＡＲＩＢ  ＳＴＤ−Ｂ３９）にて規定されるトリガ信号を波形表現したアンシラリ波形Ａ４００と、デジタル字幕データ（ＡＲＩＢ  ＳＴＤ−Ｂ３７）にて規定されるＣＳを波形表現したアンシラリ波形Ｂ４１０と、ＣＭキャッチコード（ＡＲＩＢ  ＴＲ−Ｂ２３）を波形表現したアンシラリ波形Ｃ４２０と、デジタル音声（ＢＴＡ  Ｓ−００６Ｂ）を波形表現したアンシラリ波形Ｄ４３０が、時間軸４４０を同じくして表示される。
【００５２】
監視波形８００はユーザーが監視したい時間かどうかを波形で表現しており、ユーザーが設定した時間がくると監視フラグ８０１が立ち、それ以外の場合にはフラグは立たない。
【００５３】
ユーザーは監視したい時間を任意に設定でき、その設定した時間はフラグの立ち上がり地点に開始時間８０２と表示される。またユーザーは監視したい時間に幅を持たせて設定することも可能であり、その場合にはフラグの立ち上がり地点に開始時間８０２、立ち下がり地点に終了時間８０３と表示される。
【００５４】
ディスプレイ１５０に表示される監視波形およびアンシラリ波形について、時間軸４４０の右にプロットされるほど過去であることを表現し、時間軸４４０の左にプロットされるほど現在に近いことを表現する、よって監視波形およびアンシラリ波形は時間の経過に伴い左から右に流れていく。
【００５５】
以上により、ユーザーの監視したい時間と複数のアンシラリ情報を波形データに変換して、時間軸を同じくして１画面に表示することから、ユーザーの監視したい時間における複数のアンシラリ情報の時間的な変化とその順番を視覚的にリアルタイムで把握することが可能となる。
【００５６】
次に、本発明における複数のアンシラリ情報を波形に変換して同一時間軸上に配置して画面表示し、ユーザーが設定した時間がきたら表示画面をキャプチャする機能をモニターに適用した場合について図９を用いて説明する。
【００５７】
ＳＤＩ信号１０１をモニター１６０に入力し、コンバータ回路１０３にて映像データ１０５に変換する。
【００５８】
アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００５９】
アンシラリ＆時間波形コンバータ７０４にて、モニター搭載のスイッチ操作あるいはＰＣ制御１７０から表示時間５００を設定し、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００６０】
内部時計７００からの時計情報７０１を時計情報コンバータ７０２にて時計データ７０３に変換しアンシラリ＆時間波形コンバータ回路７０４に入力する。アンシラリ＆時間波形コンバータ回路７０４にて、モニター搭載のスイッチ操作あるいはＰＣ制御１７０から時間設定７１０を設定し、時間設定７１０と時計データ７０３の一致する期間を時間波形データ７０５に変換する。
【００６１】
波形合成回路３２０にて、アンシラリ波形Ａデータ３１０とアンシラリ波形Ｂデータ３１２とアンシラリ波形Ｃデータ３１４とアンシラリ波形Ｄデータ３１６と時間波形データ７０５を合成して画面データ１４５を作成する。
【００６２】
内部時計７００からの時計情報７０１をメモリコントローラ９０１に入力し、ユーザーが設定した時間(現在も含む)がきたら画面データ１４５を内部メモリデータ９０２に変換して内部メモリ９０３に保存する。ユーザーは内部メモリ９０３に保存されたデータとリアルタイムで変化する画面データ１４５を選択でき、選択された画面表示データ９０４をディスプレイ１５０に表示する。またメモリコントローラ９０１にて、内部メモリ９０３に保存されたデータを外部メモリデータ９０５に変換して外部メモリ９０６に保存することも可能とする。これらの制御は、モニター搭載のスイッチ操作あるいはＰＣ制御１７０からのメモリ制御＆ビデオ切替９００にて行われる。
【００６３】
以上により、複数のアンシラリ情報の必要な項目とユーザーが監視したい期間を波形データに変換して１画面に表示することが可能となり、ユーザーが監視したい時間の表示画面データを内部メモリに保存しておくことで後の確認作業にも使用でき、さらに外部メモリに保存することでその表示画面データを持ち運ぶことが可能となり、本発明で提案するモニター間でのデータ共有、およびPC編集による報告書の作成、等に用いることも可能となる。
【図面の簡単な説明】
【００６４】
【図１】従来技術によるモニターのブロック図である。
【図２】従来技術によるモニターの画面表示図である。
【図３】本発明によるアンシラリ波形を表示する為のブロック図である。
【図４】本発明によるアンシラリ波形を表示する機能を適用した場合の画面表示図である。
【図５】本発明によるアンシラリ波形の画面表示時間を調整する為のブロック図である。
【図６】本発明によるアンシラリ波形の画面表示時間を調整する機能を適用した場合の画面表示図である。
【図７】本発明によるユーザーが監視したい時間にフラグを立てる為のブロック図である。
【図８】本発明によるユーザーが監視したい時間にフラグを立てる機能を適用した場合の画面表示図である。
【図９】本発明によるユーザーが監視したい時間に表示画面をキャプチャする為のブロック図である。
【符号の説明】
【００６５】
１０１  ＳＤＩ信号
１０３  コンバータ
１０５  映像データ
１０７  アンシラリデコーダ
１２０，１２２，１２４，１２６  アンシラリデータ
１４５  画像データ
１５０  ディスプレイ
１７０  スイッチ走査あるいはＰＣ制御
２１０，２１２，２１４，２１６  アンシラリ画面
３００  アンシラリ波形コンバータ
３１０，３１２，３１４，３１６  アンシラリ波形データ
３２０  波形合成
３３０  アンシラリ情報＆項目選択
４００  アンシラリ波形Ａ
４０２  トリガフラグ
４１０  アンシラリ波形Ｂ
４１２  ＣＳフラグ
４２０  アンシラリ波形Ｃ
４２２  ＣＭキャッチフラグ
４３０  アンシラリ波形Ｄ
４３２  音声レベル波形
４３４  音声レベルスケール
４４０  時間軸
５００  表示時間
６００  画面表示
６０２  拡大部
６１０  拡大画面表示
６２０  縮小画面表示
６２２  縮小部
７００  内部時計
７０１  時間情報
７０２  時計情報コンバータ
７０３  時計データ
７０４  アンシラリ＆時間波形コンバータ
７０５  時間波形データ
７１０  時間設定
８００  監視波形
８０１  監視フラグ
８０２  開始時間
８０３  終了時間
９００  メモリ制御＆ビデオ切替
９０１  メモリコントローラ
９０２  内部メモリデータ
９０３  内部メモリ
９０４  画面表示データ
９０５  外部メモリデータ
９０６  外部メモリ
【図１】
2011044974.tif 000003
【図２】
2011044974.tif 000004
【図３】
2011044974.tif 000005
【図４】
2011044974.tif 000006
【図５】
2011044974.tif 000007
【図６】
2011044974.tif 000008
【図７】
2011044974.tif 000009
【図８】
2011044974.tif 000010
【図９】
2011044974.tif 000011